【手続補正書】
【提出日】平成23年12月1日(2011.12.1)
【手続補正１】
【補正対象書類名】特許請求の範囲
【補正対象項目名】全文
【補正方法】変更
【補正の内容】
【特許請求の範囲】
【請求項１】
デブリを媒体の縁近傍から除去するシステムであって、
１個又は複数個のインクジェットプリントヘッドの面前にある第１印刷ゾーンに通して前記媒体を運ぶために第１方向に駆動される第１エスコートベルトと、
１個又は複数個の他のインクジェットプリントヘッドの面前にある第２印刷ゾーンに通して前記媒体を運ぶために第１方向とは逆の第２方向に駆動される第１エスコートベルトと、
１個又は複数個の真空発生器と、
を備え、
前記第１エスコートベルトは、
前記第１エスコートベルトによって運ばれる媒体シートの幅より大きい、第１エスコートベルトの第１ベルトエッジおよび第２ベルトエッジの間の幅と、
幅より長さが大きい形状を有し、前記第１エスコートベルトの前記第１ベルトエッジおよび第２ベルトエッジの一方に近接した長軸線に沿って配置される複数の第１開口と、
前記複数の第１開口によって形成される長軸線および第１エスコートベルトの他方のベルトエッジとの間に分散配置され、前記第１開口とは異なる形を有する複数の第２開口と、
を備え、前記複数の第１開口は、前記複数の第１開口および第２開口に適用される真空源によって第１エスコートベルトに吸い付いた媒体によりその一部だけが覆われるような位置に配置され、
前記第２エスコートベルトは、
前記第２エスコートベルトによって運ばれる媒体シートの幅より大きい、第２エスコートベルトの第１ベルトエッジおよび第２ベルトエッジの間の幅と、
幅より長さが大きい形状を有し、前記第２エスコートベルトの前記第１ベルトエッジおよび第２ベルトエッジの一方に近接した長軸線に沿って配置される複数の第１開口と、
前記複数の第１開口によって形成される長軸線および第２エスコートベルトの他方のベルトエッジとの間に分散配置され、前記第１開口とは異なる形を有する複数の第２開口と、
を備え、前記複数の第１開口は、前記複数の第１開口および第２開口に適用される真空源によって第２エスコートベルトに吸い付いた媒体によりその一部だけが覆われるような位置に配置され、
前記１個又は複数個の真空発生器は、前記媒体が前記第１印刷ゾーンの１以上のインクジェットプリントヘッドによって吐出されたインクを受け取る際には、第１エスコートベルトにおける複数の第１開口および複数の第２開口と結合し、前記媒体が前記第２印刷ゾーンの１以上の他のインクジェットプリントヘッドによって吐出されたインクを受け取る際には、第２エスコートベルトにおける複数の第１開口および複数の第２開口と結合し、
前記媒体が前記第１印刷ゾーンおよび第２印刷ゾーンを通過する際、前記第１エスコートベルトおよび第２エスコートベルトの複数の第２開口は、前記真空発生器の駆動に伴い前記媒体が前記第１エスコートベルトおよび第２エスコートベルトに強固に吸い付くことを可能にし、前記第１エスコートベルトおよび第２エスコートベルトの複数の第１開口は、前記真空発生器の駆動に伴い、部分的に覆われた当該第１開口を介しての微粒子の除去を可能にする、システム。
【請求項２】
請求項１に記載のシステムであって、
前記第１エスコートベルトは、さらに、複数の第２開口と前記第１エスコートベルトの他方のベルトエッジとの間に、長軸線に沿って配置された複数の第３開口を備え、
前記第２エスコートベルトは、さらに、複数の第２開口と前記第２エスコートベルトの前記他方のベルトエッジとの間に、長軸線に沿って配置された複数の第３開口を備える、システム。
【請求項３】
請求項１に記載のシステムであって、
前記第１、第２エスコートベルトの前記複数の第１開口は、略楕円形であり、
前記第１、第２エスコートベルトの前記複数の第２開口は、略円形である、システム。
【請求項４】
ウェブ状媒体の前面および背面に印刷を施すインクジェット印刷装置であって、
第１印刷ゾーンにおいて、前記媒体の前面にインクを吐出する第１プリントヘッドアセンブリと、
第２印刷ゾーンにおいて、前記媒体の背面にインクを吐出する第２プリントヘッドアセンブリと、
前記第１プリントヘッドアセンブリの面前にある第１印刷ゾーンを通して媒体を運ぶために第１方向に駆動される第１エスコートベルトと、
前記第２プリントヘッドアセンブリの面前にある第２印刷ゾーンを通して媒体を運ぶために第１方向とは逆方向に駆動される第２エスコートベルトと、
１個又は複数個の真空発生器と、
を備え、
前記第１エスコートベルトは、
前記第１エスコートベルトによって運ばれる媒体シートの幅より大きい、第１エスコートベルトの第１ベルトエッジおよび第２ベルトエッジの間の幅と、
幅より長さが大きい形状を有し、前記第１エスコートベルトの前記第１ベルトエッジおよび第２ベルトエッジの一方に近接して長軸線に沿って配置される複数の第１開口と、
前記複数の第１開口によって形成される長軸線および第１エスコートベルトの他方のベルトエッジとの間に分散配置された複数の第２開口と、
を備え、前記複数の第１開口は、前記複数の第１開口および第２開口に適用される真空源によって第１エスコートベルトに吸い付いた媒体によりその一部だけが覆われるような位置に配置され、
前記第２エスコートベルトは、
前記第２エスコートベルトによって運ばれる媒体シートの幅より大きい、第２エスコートベルトの第１ベルトエッジおよび第２ベルトエッジの間の幅と、
幅より長さが大きい形状を有し、前記第２エスコートベルトの前記第１ベルトエッジおよび第２ベルトエッジの一方に近接して長軸線に沿って配置される複数の第１開口と、
前記複数の第１開口によって形成される長軸線および第２スコートベルトの他方のベルトエッジとの間に分散配置された複数の第２開口と、
を備え、前記複数の第１開口は、前記複数の第１開口および第２開口に適用される真空源によって第２エスコートベルトに吸い付いた媒体によりその一部だけが覆われるような位置に配置され、
前記１個又は複数個の真空発生器は、前記第１、第２エスコートベルトにおける前記複数の第１開口および複数の第２開口と結合し、
前記媒体が前記第１印刷ゾーンおよび第２印刷ゾーンを通過する際、前記第１、第２エスコートベルトそれぞれの前記複数の第２開口は、前記真空発生器の駆動に伴い前記媒体が前記第１エスコートベルトおよび第２エスコートベルトに吸い付くことを可能にし、前記第１、第２エスコートベルトそれぞれの前記複数の第１開口は、前記真空発生器の駆動に伴い、部分的に覆われた当該第１開口を介しての微粒子の除去を可能にする、インクジェット印刷装置。
【請求項５】
請求項４に記載の印刷装置であって、
前記第１エスコートベルトは、さらに、前記第１エスコートベルトの前記複数の第２開口および他方のベルトエッジの間に長軸方向に沿って配設された複数の第３開口を備え、
前記第２エスコートベルトは、さらに、前記第２エスコートベルトの前記複数の第２開口および他方のベルトエッジの間に長軸方向に沿って配設された複数の第３開口を備える、印刷装置。
【請求項６】
請求項４に記載の印刷装置であって、
前記第１、第２エスコートベルトの前記複数の第１開口は、略楕円形であり、
前記第１、第２エスコートベルトの前記複数の第２開口は、略円形である、印刷装置。
【請求項７】
請求項６に記載の印刷装置であって、
前記第１エスコートベルトの前記複数の第１開口の略楕円形は、第１エスコートベルトの第１ベルトエッジおよび第２ベルトエッジに直交する軸線に対して鋭角になるように方向付けられている、印刷装置。
【請求項８】
請求項７に記載の印刷装置であって、
前記第２エスコートベルトの前記複数の第１開口の略楕円形は、第２エスコートベルトの第１ベルトエッジおよび第２ベルトエッジに直交する軸線に対して鋭角になるように方向付けられている、印刷装置。
【請求項９】
請求項４に記載の印刷装置であって、
前記第１エスコートベルトおよび第２エスコートベルトの前記複数の第１開口は、略長方形であり、
前記第１エスコートベルトおよび第２エスコートベルトの前記複数の第２開口は、略正方形である、印刷装置。
【請求項１０】
請求項９に記載の印刷装置であって、
前記第１エスコートベルトの前記複数の第１開口の略長方形は、第１エスコートベルトの第１ベルトエッジおよび第２ベルトエッジに直交する軸線に対して鋭角になるように方向付けられており、
前記第２エスコートベルトの前記複数の第１開口の略長方形は、第２エスコートベルトの第１ベルトエッジおよび第２ベルトエッジに直交する軸線に対して鋭角になるように方向付けられている、印刷装置。